(57)【要約】【課題】金庫から金銭を回収する場合に、精算処理が行われない事態を防止することができる入金処理装置を提供すること。【解決手段】所定の通信可能領域に保持されたマネーカードや携帯電話等の記録媒体に対して、投入された金銭に対応する入金情報を付与する電子マネーチャージ機（入金処理装置）１において、本体キャビネット１０の内部に配設され、かつ投入された金銭を収容する金庫１８の金庫扉２０の開閉を検出する金庫扉開閉検出センサ２３と、金庫扉開閉検出センサ２３により金庫扉２０の開放が検出された場合に、本体キャビネット１０の前面に設けられた表示部１３に精算処理を促す表示を強制的に行う制御手段３０とを備えている。制御手段３０は、精算処理を促す表示を強制的に行った場合には、該精算処理以外の処理指令を無効化させることが好ましい。【選択図】        図４
2008287695.tif 000002
【特許請求の範囲】
【請求項１】
所定の通信可能領域に保持された記録媒体に対して、投入された金銭に対応する入金情報を付与する入金処理装置において、
装置本体内部に配設され、かつ投入された金銭を収容する金庫の扉体の開閉を検出する検出手段と、
前記検出手段により前記扉体の開放が検出された場合に、前記装置本体の前面に設けられた表示部に精算処理を促す表示を強制的に行う制御手段と
を備えたことを特徴とする入金処理装置。
【請求項２】
前記制御手段は、前記精算処理を促す表示を強制的に行った場合には、該精算処理以外の処理指令を無効化させることを特徴とする請求項１に記載の入金処理装置。
【請求項３】
前記制御手段は、前記精算処理を促す表示を行うことにより、精算処理指令が与えられて一旦精算処理を行った場合には、前記表示部に待機画面が表示されるまで再度の精算処理指令を拒否することを特徴とする請求項１または請求項２に記載の入金処理装置。
【請求項４】
前記制御手段は、前記精算処理を促す表示を行った場合には、精算処理指令が与えられるまで前記表示を継続することを特徴とする請求項１〜３のいずれか一つに記載の入金処理装置。
【請求項５】
前記装置本体の前面を構成し、かつ開閉可能に設けられた外扉を備え、
前記制御手段は、前記精算処理を促す表示を行った場合には、前記扉体および前記外扉の開閉状態にかかわらず、精算処理指令が与えられるまで前記表示を継続することを特徴とする請求項１〜３のいずれか一つに記載の入金処理装置。
【発明の詳細な説明】
【技術分野】
【０００１】
本発明は、入金処理装置に関し、より詳細には、所定の通信可能領域に保持された記録媒体に対して、投入された金銭に対応する入金情報を付与する入金処理装置の改良に関する。
【背景技術】
【０００２】
近年、非接触ＩＣカード、あるいは携帯電話等の記録媒体に電子マネー（貨幣価値情報）を記録しておき、この記録媒体に記録した電子マネーを用いて商品の購入、サービスの提供に関する決済を行うシステムが普及している。
【０００３】
この種の記録媒体においては、記録した電子マネーの残高が少なくなると、商品の購入、サービスの提供に関する決済ができなくなるので、記録媒体に電子マネーをチャージ（積み増し）する必要がある。この電子マネーのチャージには、投入された金銭に対応する入金情報（電子マネー）を記録媒体に対して付与（チャージ）する電子マネーチャージ機と称されるような入金処理装置が広く一般に用いられている。
【０００４】
このような入金処理装置では、装置本体を構成する筐体の内部に投入された金銭を収容するための金庫が配設されており、かかる金庫から金銭を回収する場合には締め処理と称されるような精算処理を行って入出金管理を行う必要がある。
【０００５】
入出金管理を行う場合、すなわち締め処理と称される精算処理を行う場合には、筐体の前面を構成する外扉の前面に設けられたテンキーや操作画面等にパスワード等を入力して行うのが一般的であり、また外扉を開放させ、筐体内部にある金庫の扉を開放させた場合、すなわち金庫扉の施錠を解錠させた場合にも行い得るようにしていた（例えば、特許文献１参照）。
【０００６】
【特許文献１】特開２００５−２８４３６２号公報
【発明の開示】
【発明が解決しようとする課題】
【０００７】
ところが、上述したような入金処理装置では、筐体内部にある金庫の扉を開放させた場合に精算処理を行えるが、かかる精算処理をする際には当該精算処理を実施する者（通常は管理者）が自主的にテンキーや操作画面等の操作部に入力処理を行う必要があった。そのため、管理者が精算処理を怠って、あるいは忘れて金庫から金銭を回収してしまう事態が生ずる虞れがあった。
【０００８】
本発明は、上記実情に鑑みて、金庫から金銭を回収する場合に、精算処理が行われない事態を防止することができる入金処理装置を提供することを目的とする。
【課題を解決するための手段】
【０００９】
上記目的を達成するため、本発明の請求項１に係る入金処理装置は、所定の通信可能領域に保持された記録媒体に対して、投入された金銭に対応する入金情報を付与する入金処理装置において、装置本体内部に配設され、かつ投入された金銭を収容する金庫の扉体の開閉を検出する検出手段と、前記検出手段により前記扉体の開放が検出された場合に、前記装置本体の前面に設けられた表示部に精算処理を促す表示を強制的に行う制御手段とを備えたことを特徴とする。
【００１０】
また、本発明の請求項２に係る入金処理装置は、上述した請求項１において、前記制御手段は、前記精算処理を促す表示を強制的に行った場合には、該精算処理以外の処理指令を無効化させることを特徴とする。
【００１１】
また、本発明の請求項３に係る入金処理装置は、上述した請求項１または請求項２において、前記制御手段は、前記精算処理を促す表示を行うことにより、精算処理指令が与えられて一旦精算処理を行った場合には、前記表示部に待機画面が表示されるまで再度の精算処理指令を拒否することを特徴とする。
【００１２】
また、本発明の請求項４に係る入金処理装置は、上述した請求項１〜３のいずれか一つにおいて、前記制御手段は、前記精算処理を促す表示を行った場合には、精算処理指令が与えられるまで前記表示を継続することを特徴とする。
【００１３】
また、本発明の請求項５に係る入金処理装置は、上述した請求項１〜３のいずれか一つにおいて、前記装置本体の前面を構成し、かつ開閉可能に設けられた外扉を備え、前記制御手段は、前記精算処理を促す表示を行った場合には、前記扉体および前記外扉の開閉状態にかかわらず、精算処理指令が与えられるまで前記表示を継続することを特徴とする。
【発明の効果】
【００１４】
本発明の入金処理装置によれば、検出手段が装置本体内部に配設され、かつ投入された金銭を収容する金庫の扉体の開閉を検出し、かつ制御手段が検出手段により扉体の開放が検出された場合に、装置本体の前面に設けられた表示部に精算処理を促す表示を強制的に行うので、管理者が精算処理を怠って、あるいは忘れて金庫から金銭を回収してしまう事態を回避することができ、その結果、金庫から金銭を回収する場合に、精算処理が行われない事態を防止することができるという効果を奏する。
【発明を実施するための最良の形態】
【００１５】
以下に添付図面を参照しながら、本発明に係る入金処理装置の好適な実施の形態について詳細に説明する。尚、以下の実施の形態においては、入金処理装置の一例として電子マネーチャージ機について説明する。
【００１６】
＜実施の形態１＞
図１は、本発明の実施の形態１における電子マネーチャージ機（入金処理装置）が適用される電子マネーチャージシステムの構成を示すブロック図である。ここに例示する電子マネーチャージ機１は、現金決済による電子マネーのチャージ（以下、「現金チャージ」という）、クレジット会社（金融機関）から与えられた信用（与信）による電子マネーのチャージ（以下、「クレジットチャージ」という）、銀行口座（金融機関）の預貯金による電子マネーのチャージ（以下「デビットチャージ」という）を可能とするものである。
【００１７】
現金チャージは、投入された現金（例えば、紙幣）に相当する入金情報（電子マネー）を非接触ＩＣカードで構成されたマネーカード、あるいは非接触ＩＣチップが搭載された携帯電話等の記録媒体にチャージするもので、電子マネーの代金は即時決済される。
【００１８】
クレジットチャージは、予めクレジット会社により与えられた与信限度（信用限度）の限度内で電子マネーを記録媒体にチャージするもので、電子マネーの代金はクレジット会社によって立て替えられ、立て替えられた電子マネーの代金は後日決済される。尚、クレジットチャージにおいて、利用者の認証には、クレジットカードが用いられる。
【００１９】
デビットチャージは、銀行口座の預貯金残高の範囲内で電子マネーを記録媒体にチャージするもので、電子マネーの代金は即時決済される。尚、デビットチャージにおいて、利用者の認証には、デビットカード（キャッシュカード）が用いられる。
【００２０】
図１に示すように、本発明の実施の形態１である電子マネーチャージ機１は、専用線、ネットワーク（ＬＡＮ）、あるいは広域ネットワーク（ＷＡＮ）を経由して、クレジット会社のクレジットサーバ２、銀行のデビットサーバ３、電子マネー運営会社の電子マネーサーバ４に接続されている。そして、現金チャージの場合には、電子マネーチャージ機１と電子マネーサーバ４との間で情報が送受信され、クレジットチャージの場合には、電子マネーチャージ機１とクレジットサーバ２との間、クレジットサーバ２と電子マネーサーバ４との間、電子マネーサーバ４と電子マネーチャージ機１との間で情報が送受信される。また、デビットチャージの場合には、電子マネーチャージ機１とデビットサーバ３との間、デビットサーバ３と電子マネーサーバ４との間、電子マネーサーバ４と電子マネーチャージ機１との間で情報が送受信される。
【００２１】
図２は、図１に示した電子マネーチャージ機の構成を簡略して示す斜視図である。ここに例示する電子マネーチャージ機１は、本体キャビネット１０および外扉１１を備えている。本体キャビネット１０は、鋼材を適宜組み合わせることにより構成した装置本体で、前面が開口した箱形形状を有している。外扉１１は、本体キャビネット１０の前面開口を閉塞するに足りる大きさを有したもので、開閉動作することにより本体キャビネット１０の前面開口を開閉するものである。
【００２２】
本体キャビネット１０と外扉１１との間には、外扉施錠手段１２が設けてある。外扉施錠手段１２は、キー孔からキーを挿入して操作した場合に施解錠の切り替えが可能となるものある。この外扉施錠手段１２は、施錠状態において本体キャビネット１０に対する外扉１１の開放移動を阻止する一方、解錠状態において本体キャビネット１０に対する外扉１１の開放移動を許容するように構成してある。
【００２３】
外扉１１の前面には、表示部１３、入力部１４、紙幣挿入口１５、カード挿入口１６および送受信部１７が設けてある。表示部１３は、利用者に操作を案内するとともに、必要な情報を表示する部分であり、例えば液晶パネルにより構成してある。入力部１４は、電子マネーチャージ機１が必要とする情報を入力するためのもので、入金や取消等の押釦部１４１や暗証番号等を入力するためのテンキー部１４２を有している。また、表示部１３に表示される領域（例えば、チャージ金額表示領域等の各種情報表示領域）も入力部１４を構成することがある。
【００２４】
紙幣挿入口１５は、利用者が紙幣を挿入するための開口である。この紙幣挿入口１５を通じて挿入された紙幣は、図示しない金銭処理機においてその金種が識別され、その後、本体キャビネット１０の内部に配設された金庫１８に収容されることになる（図３参照）。また、紙幣挿入口１５は、金銭処理機において識別できなかった紙幣を返送するための紙幣返却口としても機能する。
【００２５】
カード挿入口１６は、利用者がクレジットカードやデビットカードを挿入するための開口である。このカード挿入口１６を通じて挿入されたクレジットカードやデビットカードは、図示しないリーダライタを通じて識別情報等の送受信が行われる。また、カード挿入口１６は、リーダライタを通じて識別情報等の送受信が行われたクレジットカードやデビットカードのカード返却口としても機能する。
【００２６】
送受信部１７は、所定の通信可能領域に保持されたマネーカードや携帯電話との間で識別情報および残高情報を送受信するためのものである。
【００２７】
図３は、図２に示す電子マネーチャージ機において外扉を開放移動させた状態を示す斜視図であり、簡略的に示している。この図３に示すように、本体キャビネット１０の内部には金庫１８が設けてある。金庫１８は、紙幣挿入口１５を通じて挿入された紙幣（投入された金銭）を収容するためのものであり、前面が開口した直方状の金庫本体１９と、この金庫本体１９の前面開口を開閉するための金庫扉（扉体）２０が設けてある。この金庫本体１９には、図には明示しないが、金銭処理機を通じて金種が識別された紙幣が挿入する挿入口が設けてある。また、金庫本体１９と金庫扉２０との間には、金庫扉施錠手段２１が設けてある。金庫扉施錠手段２１は、キー孔からキーを挿入して操作した場合に施解錠の切り替えが可能となるものである。この金庫扉施錠手段２１は、施錠状態において金庫本体１９に対する金庫扉２０の開放移動を阻止する一方、解錠状態において金庫本体１９に対する金庫扉２０の開放移動を許容するように構成してある。
【００２８】
図４は、上述した電子マネーチャージ機の制御系を示すブロック図である。尚、図４においては、本発明の特徴部分を実施するのに必要なものだけを示している。この図４において、電子マネーチャージ機１は、外扉開閉検出センサ２２、金庫扉開閉検出センサ２３および制御手段３０を備えている。
【００２９】
外扉開閉検出センサ２２は、外扉１１の開閉を検出する検出手段であり、具体的には外扉施錠手段１２の状態を検出している。つまり、外扉施錠手段１２が施錠の場合には外扉１１が閉成しているものと検出する一方、外扉施錠手段１２が解錠の場合には外扉１１が開放しているものと検出するものである。
【００３０】
金庫扉開閉検出センサ２３は、金庫扉２０の開閉を検出する検出手段であり、具体的には金庫扉施錠手段２１の状態を検出している。つまり、金庫扉施錠手段２１が施錠の場合には金庫扉２０が閉成しているものと検出する一方、金庫扉施錠手段２１が解錠の場合には金庫扉２０が開放しているものと検出するものである。
【００３１】
制御手段３０は、各種情報設定記憶部３１と、表示制御部３２と、無効化部３３とを備えている。各種情報設定記憶部３１は、制御手段３０が処理を実行するために必要なプログラムやデータ等の各種情報を設定し、かつこれを記憶するためのものである。
【００３２】
表示制御部３２は、表示部１３の制御、より詳細には、表示部１３に表示される表示内容を制御するためのものである。
【００３３】
無効化部３３は、表示制御部３２による表示部１３の制御が行われている場合に、入力部１４を通じての入力操作を無効化させるためのものである。
【００３４】
図５は、図４に示した制御手段が実施する締め制御処理を示すフローチャートである。かかる図５について説明しながら電子マネーチャージ機１の動作について説明する。
【００３５】
締め制御処理において制御手段３０は、外扉開閉検出センサ２２を通じて外扉１１の開閉を検出し（ステップＳ１０１）、外扉１１が開放しているか否かを判断する（ステップＳ１０２）。この結果、外扉１１が閉成しているものと検出された場合には（ステップＳ１０２：Ｎｏ）、後述する処理を実施することなく、手順をリターンさせて今回の処理を終了する。
【００３６】
一方、外扉１１が開放しているものと検出された場合には（ステップＳ１０２：Ｙｅｓ）、金庫扉開閉検出センサ２３を通じて金庫扉２０の開閉を検出し（ステップＳ１０３）、金庫扉２０が開放しているか否かを判断する（ステップＳ１０４）。この結果、金庫扉２０が閉成しているものと検出された場合には（ステップＳ１０４：Ｎｏ）、後述する処理を実施することなく、手順をリターンさせて今回の処理を終了する。
【００３７】
一方、金庫扉２０が開放しているものと検出された場合には（ステップＳ１０４：Ｙｅｓ）、制御手段３０は、表示制御部３２を通じて表示部１３に精算処理を促す表示を強制的に行う（ステップＳ１０５）とともに、入力部１４を通じての入力操作を無効化部３３を通じて無効化させ（ステップＳ１０６）、手順をリターンさせて今回の処理を終了する。これによれば、制御手段３０は、表示部１３に表示され、かつ精算処理を実行するための選択領域が管理者にタッチされるまで表示制御部３２を通じて表示し続けることになる。
【００３８】
このように本発明の実施の形態１における電子マネーチャージ機１によれば、金庫扉開閉検出センサ２３により金庫扉２０の開放が検出された場合に、制御手段３０が表示部１３に精算処理を促す表示を強制的に行うので、管理者が精算処理を怠って、あるいは忘れて金庫１８から金銭を回収してしまう事態を回避することができ、その結果、金庫１８から金銭を回収する場合に、精算処理が行われない事態を防止することができる。
【００３９】
特に、制御手段３０が、表示制御部３２を通じて表示部１３に精算処理を促す表示を強制的に行うとともに、入力部１４を通じての入力操作を無効化部３３を通じて無効化させるので、管理者に精算処理を実行するための選択領域がタッチされるまで上記表示を継続することになり、管理者は、精算処理を実施しなければ、電子マネーチャージ機１を再開させることができなくすることができる。
【００４０】
＜実施の形態２＞
次に本発明の実施の形態２における電子マネーチャージ機（入金処理装置）について説明する。尚、上述した本発明の実施の形態１における電子マネーチャージ機１と同一の構成を有するものには同一の符号を付してその説明を省略する。
【００４１】
図６は、本発明の実施の形態２における電子マネーチャージ機（入金処理装置）が適用される電子マネーチャージシステムの構成を示すブロック図である。ここに例示する電子マネーチャージ機５は、現金決済による電子マネーのチャージ（以下、「現金チャージ」という）、クレジット会社（金融機関）から与えられた信用（与信）による電子マネーのチャージ（以下、「クレジットチャージ」という）、銀行口座（金融機関）の預貯金による電子マネーのチャージ（以下「デビットチャージ」という）を可能とするものである。
【００４２】
現金チャージは、投入された現金（例えば、紙幣）に相当する入金情報（電子マネー）を非接触ＩＣカードで構成されたマネーカード、あるいは非接触ＩＣチップが搭載された携帯電話等の記録媒体にチャージするもので、電子マネーの代金は即時決済される。
【００４３】
クレジットチャージは、予めクレジット会社により与えられた与信限度（信用限度）の限度内で電子マネーを記録媒体にチャージするもので、電子マネーの代金はクレジット会社によって立て替えられ、立て替えられた電子マネーの代金は後日決済される。尚、クレジットチャージにおいて、利用者の認証には、クレジットカードが用いられる。
【００４４】
デビットチャージは、銀行口座の預貯金残高の範囲内で電子マネーを記録媒体にチャージするもので、電子マネーの代金は即時決済される。尚、デビットチャージにおいて、利用者の認証には、デビットカード（キャッシュカード）が用いられる。
【００４５】
図６に示すように、本発明の実施の形態２である電子マネーチャージ機５は、専用線、ネットワーク（ＬＡＮ）、あるいは広域ネットワーク（ＷＡＮ）を経由して、クレジット会社のクレジットサーバ２、銀行のデビットサーバ３、電子マネー運営会社の電子マネーサーバ４に接続されている。そして、現金チャージの場合には、電子マネーチャージ機５と電子マネーサーバ４との間で情報が送受信され、クレジットチャージの場合には、電子マネーチャージ機５とクレジットサーバ２との間、クレジットサーバ２と電子マネーサーバ４との間、電子マネーサーバ４と電子マネーチャージ機５との間で情報が送受信される。また、デビットチャージの場合には、電子マネーチャージ機５とデビットサーバ３との間、デビットサーバ３と電子マネーサーバ４との間、電子マネーサーバ４と電子マネーチャージ機５との間で情報が送受信される。
【００４６】
図７は、図６に示した電子マネーチャージ機の構成を簡略して示す斜視図である。ここに例示する電子マネーチャージ機５は、本体キャビネット１０および外扉１１を備えている。本体キャビネット１０と外扉１１との間には、外扉施錠手段１２が設けてある。外扉１１の前面には、表示部１３、入力部１４、紙幣挿入口１５、カード挿入口１６および送受信部１７が設けてある。
【００４７】
図８は、図７に示す電子マネーチャージ機において外扉を開放移動させた状態を示す斜視図であり、簡略的に示している。この図８に示すように、本体キャビネット１０の内部には金庫１８が設けてある。金庫１８は、紙幣挿入口１５を通じて挿入された紙幣（投入された金銭）を収容するためのものであり、前面が開口した直方状の金庫本体１９と、この金庫本体１９の前面開口を開閉するための金庫扉（扉体）２０が設けてある。この金庫本体１９には、図には明示しないが、金銭処理機を通じて金種が識別された紙幣が挿入する挿入口が設けてある。また、金庫本体１９と金庫扉２０との間には、金庫扉施錠手段２１が設けてある。
【００４８】
図９は、本発明の実施の形態２における電子マネーチャージ機の制御系を示すブロック図である。尚、図９においては、本発明の特徴部分を実施するのに必要なものだけを示している。この図９において、電子マネーチャージ機５は、外扉開閉検出センサ２２、金庫扉開閉検出センサ２３および制御手段５０を備えている。
【００４９】
制御手段５０は、各種情報設定記憶部５１、表示制御部５２、無効化部５３、精算制御部５４および無効化解除部５５を備えている。各種情報設定記憶部５１は、制御手段５０が処理を実行するために必要なプログラムやデータ等の各種情報を設定し、かつこれを記憶するためのものである。
【００５０】
表示制御部５２は、表示部１３の制御、より詳細には、表示部１３に表示される表示内容を制御するためのものである。より具体的に説明すると、表示制御部５２は、精算処理を促すための精算画面、待機状態である場合を示す待機画面（初期画面）を表示部１３に表示させるものである。尚、詳細は後述するが、表示部１３に表示される精算画面には、精算処理を実行するための選択領域が含まれている。
【００５１】
無効化部５３は、表示制御部５２により表示部１３に精算画面が表示されている場合に、入力部１４を通じての入力操作を無効化させるためのものである。
【００５２】
精算制御部５４は、いわゆる締め処理と称される精算処理を行うためのものであり、必要に応じて図示しない印字手段に精算処理結果を印字させる処理を行うものである。無効化解除部５５は、無効化部５３を通じて無効化された処理内容を解除させるためのものである。
【００５３】
図１０は、図９に示した制御手段が実施する本発明の特徴的な制御内容を示すフローチャートである。かかる図１０について説明しながら電子マネーチャージ機５の動作について説明する。
【００５４】
制御手段５０は、締め表示制御処理を実施する（ステップＳ２００）。図１１は、図１０に示した締め表示制御処理の処理内容を示すフローチャートである。この締め表示制御処理において制御手段５０は、外扉開閉検出センサ２２を通じて外扉１１の開閉を検出し（ステップＳ２０１）、外扉１１が開放しているか否かを判断する（ステップＳ２０２）。この結果、外扉１１が閉成しているものと検出された場合には（ステップＳ２０２：Ｎｏ）、後述する処理を実施することなく、手順をリターンさせて今回の処理を終了する。
【００５５】
一方、外扉１１が開放しているものと検出された場合には（ステップＳ２０２：Ｙｅｓ）、金庫扉開閉検出センサ２３を通じて金庫扉２０の開閉を検出し（ステップＳ２０３）、金庫扉２０が開放しているか否かを判断する（ステップＳ２０４）。この結果、金庫扉２０が閉成しているものと検出された場合には（ステップＳ２０４：Ｎｏ）、後述する処理を実施することなく、手順をリターンさせて今回の処理を終了する。
【００５６】
一方、金庫扉２０が開放しているものと検出された場合には（ステップＳ２０４：Ｙｅｓ）、制御手段５０は、表示制御部５２を通じて表示部１３に精算処理を促す表示を強制的に行う（ステップＳ２０５）とともに、入力部１４を通じての入力操作を無効化部５３を通じて無効化させ（ステップＳ２０６）、手順をリターンさせて今回の処理を終了する。これによれば、制御手段５０は、表示部１３に表示され、かつ精算処理を実行するための選択領域が管理者にタッチされるまで表示制御部５２を通じて表示し続けることになる。
【００５７】
また、金庫扉開閉検出センサ２３により金庫扉２０の開放が検出された場合に、制御手段５０が表示部１３に精算処理を促す表示を強制的に行うので、管理者が精算処理を怠って、あるいは忘れて金庫１８から金銭を回収してしまう事態を回避することができ、その結果、金庫１８から金銭を回収する場合に、精算処理が行われない事態を防止することができる。
【００５８】
上述したような締め表示制御処理を実施した制御手段５０は、締め精算制御処理を実施する（ステップＳ３００）。図１２は、図１０に示した締め精算制御処理の処理内容を示すフローチャートである。この締め精算制御処理において制御手段５０は、上記締め表示制御処理（ステップＳ２００）において、表示制御部５２を通じて表示部１３に精算処理を促す表示を強制的に行ったか否かを確認し（ステップＳ３０１）、表示制御部５２を通じて表示部１３に精算処理を促す表示を強制的に行っていない場合には（ステップＳ３０１：Ｎｏ）、後述する処理を実施することなく手順をリターンさせて今回の処理を終了する。つまり、締め表示制御処理（ステップＳ２００）において表示部１３に精算処理を促す表示が行われなかった場合には、締め精算制御処理においては、何等処理を実施することなく処理を終了する。
【００５９】
一方、表示制御部５２を通じて表示部１３に精算処理を促す表示を強制的に行った場合には（ステップＳ３０１：Ｙｅｓ）、表示制御部５２を通じて選択領域が管理者にタッチされたか否か、すなわち精算処理指令が与えられたか否かを確認する（ステップＳ３０２）。そして、選択領域へのタッチが確認された場合には（ステップＳ３０２：Ｙｅｓ）、制御手段５０は、フラグが未設定であるか否かを確認し（ステップＳ３０３）、フラグが設定されている場合には（ステップＳ３０３：Ｎｏ）、後述する処理を実施することなく手順をリターンさせて今回の処理を終了する。
【００６０】
フラグが設定されていない場合には（ステップＳ３０３：Ｙｅｓ）、制御手段５０は、精算制御部５４を通じて精算処理を実施し（ステップＳ３０４）、更にフラグを設定して（ステップＳ３０５）、その後に手順をリターンさせて今回の処理を終了する。
【００６１】
このような締め精算処理を実施した制御手段５０は、後表示制御処理を実施する（ステップＳ４００）。図１３は、図１０に示した後表示制御処理の処理内容を示すフローチャートである。この後表示制御処理において制御手段５０は、上記締め表示制御処理（ステップＳ２００）において、表示制御部５２を通じて表示部１３に精算処理を促す表示を強制的に行ったか否かを確認し（ステップＳ４０１）、表示制御部５２を通じて表示部１３に精算処理を促す表示を強制的に行っていない場合には（ステップＳ４０１：Ｎｏ）、後述する処理を実施することなく手順をリターンさせて今回の処理を終了する。つまり、締め表示制御処理（ステップＳ２００）において表示部１３に精算処理を促す表示が行われなかった場合には、後表示制御処理においては、何等処理を実施することなく処理を終了する。
【００６２】
一方、表示制御部５２を通じて表示部１３に精算処理を促す表示を強制的に行った場合には（ステップＳ４０１：Ｙｅｓ）、制御手段５０は、金庫扉開閉検出センサ２３を通じて金庫扉２０の開閉を検出し（ステップＳ４０２）、金庫扉２０が閉成しているか否かを判断する（ステップＳ４０３）。この結果、金庫扉２０が開放しているものと検出された場合には（ステップＳ４０３：Ｎｏ）、後述する処理を実施することなく、手順をリターンさせて今回の処理を終了する。
【００６３】
一方、金庫扉２０が閉成しているものと検出された場合には（ステップＳ４０３：Ｙｅｓ）、外扉開閉検出センサ２２を通じて外扉１１の開閉を検出し（ステップＳ４０４）、外扉１１が閉成しているか否かを判断する（ステップＳ４０５）。この結果、外扉１１が開放しているものと検出された場合には（ステップＳ４０５：Ｎｏ）、後述する処理を実施することなく、手順をリターンさせて今回の処理を終了する。
【００６４】
一方、外扉１１が閉成しているものと検出された場合には（ステップＳ４０５：Ｙｅｓ）、制御手段５０は、フラグが設定ありとなっているか否か、すなわちフラグが設定してあるか否かを確認し（ステップＳ４０６）、フラグが設定されていない場合には（ステップＳ４０６：Ｎｏ）、後述する処理を実施することなく、手順をリターンさせて今回の処理を終了する。
【００６５】
フラグが設定してある場合には（ステップＳ４０６：Ｙｅｓ）、制御手段５０は、フラグの初期化を実施、すなわちフラグの設定を解除し（ステップＳ４０７）、表示制御部５２を通じて、表示部１３に待機画面を表示させる（ステップＳ４０８）とともに、無効化解除部５５を通じて無効化部５３による入力部１４の無効化を解除させ（ステップＳ４０９）、手順をリターンさせて今回の処理を終了する。そして、かかる後表示制御処理を実施した制御手段５０は、その後に今回の制御処理を終了する。
【００６６】
以上説明したような締め表示制御処理（ステップＳ２００）、締め精算制御処理（ステップＳ３００）および後表示制御処理（ステップＳ４００）を実施することにより、次のようなことが述べられる。すなわち、締め精算制御処理では、精算処理を実施した場合にフラグを設定するようにしておき、しかも精算処理を実施する前の処理でフラグが未設定であるか否かを確認してフラグが未設定であれば精算処理を実施するので、一旦精算処理が行われた場合に、選択領域が再びタッチされて精算処理指令が与えられても、かかる指令を拒否する。つまり、管理者が選択領域にタッチすることにより精算処理指令が与えられて一旦精算処理を行った場合には、締め精算制御処理後の後表示制御処理で表示部１３に待機画面が表示されるまで再度の精算処理指令を拒否する。
【００６７】
また、後表示制御処理では、フラグが設定ありとなっているか否かを確認し、フラグが設定ありと確認した場合に、表示部１３に待機画面を表示させるので、締め精算制御処理（ステップＳ３００）で精算処理が実施された場合にのみ（ステップＳ３０４）、待機画面を表示させることになる。つまり、金庫扉２０および外扉１１の開閉状態にかかわらず、選択領域がタッチされて精算処理が実施されるまで精算処理を促す強制的な表示を継続する。
【００６８】
このように本発明の実施の形態２における電子マネーチャージ機５によれば、管理者が選択領域にタッチすることにより精算処理指令が与えられて一旦精算処理を行った場合には、締め精算制御処理後の後表示制御処理で表示部１３に待機画面が表示されるまで再度の精算処理指令を拒否するので、管理者が誤って選択領域を連続的にタッチしてしまうことにより、タッチ数に応じて精算処理が実施されてしまうことを回避することができる。これにより、誤精算処理、並びに誤精算処理によりデータが作成されてしまう事態を抑制することができる。
【００６９】
上記電子マネーチャージ機５によれば、金庫扉２０および外扉１１の開閉状態にかかわらず、選択領域がタッチされて精算処理が実施されるまで精算処理を促す強制的な表示を継続するので、一度も精算処理が行われなかったのに、待機画面（初期画面）に戻ってしまう虞れがなく、これによっても精算処理が行われない事態を防止することができる。
【産業上の利用可能性】
【００７０】
以上のように、本発明に係る入金処理装置は、所定の通信可能領域に保持された記録媒体に対して、投入された金銭に対応する入金情報を付与するのに有用である。
【図面の簡単な説明】
【００７１】
【図１】本発明の実施の形態１における電子マネーチャージ機（入金処理装置）が適用される電子マネーチャージシステムの構成を示すブロック図である。
【図２】図１に示した電子マネーチャージ機の構成を簡略して示す斜視図である。
【図３】図２に示す電子マネーチャージ機において外扉を開放移動させた状態を示す斜視図である。
【図４】電子マネーチャージ機の制御系を示すブロック図である。
【図５】図４に示した制御手段が実施する締め制御処理を示すフローチャートである。
【図６】本発明の実施の形態２における電子マネーチャージ機（入金処理装置）が適用される電子マネーチャージシステムの構成を示すブロック図である。
【図７】図６に示した電子マネーチャージ機の構成を簡略して示す斜視図である。
【図８】図７に示す電子マネーチャージ機において外扉を開放移動させた状態を示す斜視図である。
【図９】電子マネーチャージ機の制御系を示すブロック図である。
【図１０】図９に示した制御手段が実施する本発明の特徴的な制御内容を示すフローチャートである。
【図１１】図１０に示した締め表示制御処理の処理内容を示すフローチャートである。
【図１２】図１０に示した締め精算制御処理の処理内容を示すフローチャートである。
【図１３】図１０に示した後表示制御処理の処理内容を示すフローチャートである。
【符号の説明】
【００７２】
１，５      電子マネーチャージ機
１０        本体キャビネット
１１        外扉
１３        表示部
１４        入力部
１８        金庫
２０        金庫扉
２２        外扉開閉検出センサ
２３        金庫扉開閉検出センサ
３０，５０  制御手段
３１，５１  各種情報設定記憶部
３２，５２  表示制御部
３３，５３  無効化部
５４        精算制御部
５５        無効化解除部
【図５】
2008287695.tif 000003
【図１１】
2008287695.tif 000004
【図１３】
2008287695.tif 000005
【図１】
2008287695.tif 000006
【図２】
2008287695.tif 000007
【図３】
2008287695.tif 000008
【図４】
2008287695.tif 000009
【図６】
2008287695.tif 000010
【図７】
2008287695.tif 000011
【図８】
2008287695.tif 000012
【図９】
2008287695.tif 000013
【図１０】
2008287695.tif 000014
【図１２】
2008287695.tif 000015